(57)【要約】【課題】  従来よりも構成が簡略で、コピーによる偽造が防止できる印刷物を提供する。【解決手段】  幅が０．０６０〜０．０９０ｍｍの黒色の万線１ａと、０．２１〜０．２４０ｍｍの白地１ｂにより構成されてなる潜像部１と、ランダムなドットで構成される１２〜１８％のグレー部４と、長さが１．７００〜１．９００ｍｍ、高さが０．４５０〜０．６００ｍｍ引き伸ばされた六角形２ａと、菱形２ｂと、マイクロ文字３と、白色模様５とを備えた背景部とで、印刷物を構成する。この印刷物を電子複写機などでコピーすると、潜像部１が浮かび上って見えるようになり、オリジナル物件とコピー物件の判別が容易になる。【選択図】図１
2018144464.tif 000002
【特許請求の範囲】
【請求項１】
万線により構成されてなる潜像部と、ランダムなドットで構成される１２〜１８％のグレー部と、引き伸ばされた六角形と、菱形と、マイクロ文字と、白色模様とを備えた背景部を有することを特徴とする、コピー防止印刷物。
【請求項２】
前記万線は、幅が０．０６０〜０．０９０ｍｍの黒色の線と０．２１〜０．２４０ｍｍの白地からなり、前記引き伸ばされた六角形と菱形は、長さが１．７００〜１．９００ｍｍ、高さが０．４５０〜０．６００ｍｍあり、マイクロ文字の大きさは、２．９〜３１．ｍｍであり、１２〜１８％のグレー部はコンピュータを用いた画像処理により、ランダムなドットに変換されてなることを特徴とする、請求項１に記載の、コピー防止印刷物。
【発明の詳細な説明】
【技術分野】
【０００１】  本発明は、有価証券、証明書、ラベルなどのコピーによる偽造を防止するためのコピー防止印刷物に関するものである。
【背景技術】
【０００２】  近年の印刷やコピーの技術は、高精度化が顕著であり、カラーコピーを用いて偽造した紙幣が用いられるという事件が国内で起こった例がある。また、国外に目を向けると、特定の国家を狙った経済テロのために、目視では本物との区別が困難な精巧な偽造紙幣が流通した例もある。【０００３】  日本の紙幣は、世界でも最高の印刷技術で製造されていて、偽造は極めて困難であり、偽造紙幣が多量に流通した例はないが、クーポン券などの有価証券や各種の証明書の偽造事件が、後を絶たない。【０００４】  コピーによる偽造を防ぐ手段としては、国内の紙幣の例のように、有価証券自体を偽造困難とする方法がある。具体的には、複写機などの機器では解像が極めて困難な文字やパターンを印刷したり、金属光沢や蛍光を発するインクを印刷したりする方法がある。しかし、例えばクーポン券などの場合では、予め本物に関する詳細な情報を提供しておかないと、利用者が真偽を判断できないことになる。【０００５】  このような場合への対処方法として、特許文献１には、基材に、所定の幅とピッチの万線パターンでなる非潜像部と、該非潜像部を形成する万線パターンの任意の領域に部分的に形成されて、且つその部分は該万線パターンではない隠し模様となる牽制潜像部と、を備えたコピー牽制印刷物において、前記牽制潜像部は、非潜像部を形成する万線パターンの１組２本分に掛かるルーン文字でいうＳ字状、その逆Ｓ字状、アルファベットでいうＺ字状、Ｎ字状、逆Ｚ字状、または逆Ｎ字状の類のパターンが要素であって、該要素を成す線のうち隣り同志の線が成す角度が９０°以上であり、複数個の該要素が並べられて構成され、前記非潜像部と同一又はほぼ同一の光学濃度になるように設けてあることを特徴とするコピー牽制印刷物が開示されている。【０００６】  また、特許文献２には、基材上に背景部と潜像部とを万線により構成した偽造防止画像部を備え、該背景部と潜像部の各々万線が、互いに同一色により所定ピッチと線幅にて互いに直交する方向に形成され、前記背景部と潜像部の各々万線が、直線形状以外の波形状又はジグザグ状又は鋸歯状であり、前記基材面より所定高さに突出して形成されていることを特徴とする偽造防止画像形成体が開示されている。【０００７】  特許文献１に開示されているコピー牽制印刷物は、これを電子複写機などでコピーすると、オリジナルの印刷物では視認が困難な潜像部が視認できるようになり、オリジナルの印刷物とコピー物品の区別が容易となる。これに対し、特許文献２に開示されている偽造防止画像形成体は、これを電子複写機などでコピーすると、オリジナルの物品に視認可能な状態で付与されている潜像部が、コピー物品の方には形成されないので、やはり、オリジナルの印刷物とコピー物品の区別が容易となる。しかしながら、ここに開示されている印刷物は、構成がやや複雑で、コストの観点から改善の余地があると考えられる。
【先行技術文献】
【特許文献】
【０００８】
【特許文献１】特開２００６−２０５６２５号公報
【特許文献２】特開２００４−１０６４４２号公報
【発明の概要】
【発明が解決しようとする課題】
【０００９】  そこで本発明の課題は、従来よりも構成が簡略で、コピーによる偽造が防止できる印刷物を提供することにある。
【課題を解決するための手段】
【００１０】  本発明は、オリジナルの印刷物に、視認が困難な万線で潜像を形成し、オリジナルの印刷物を、電子複写機などでコピーすると、コピー物品に前記の潜像が視認可能な状態で浮かび上がるようにすることを、鋭意検討した結果なされたものである。【００１１】  本発明によれば、万線により構成されてなる潜像部と、ランダムなドットで構成される１２〜１８％のグレー部と、引き伸ばされた六角形と、菱形と、マイクロ文字と、白色模様とを備えた背景部を、有することを特徴とする、コピー防止印刷物が得られる。【００１２】  また本発明によれば、前記万線が、幅が０．０６０〜０．０９０ｍｍの黒色の線と０．２１〜０．２４０ｍｍの白地からなり、前記引き伸ばされた六角形と菱形は、長さが１．７００〜１．９００ｍｍ、高さが０．４５０〜０．６００ｍｍであり、マイクロ文字の大きさは、２．９〜３１．ｍｍであり、１２〜１８％のグレー部はコンピュータを用いた画像処理により、ランダムなドットに変換されてなることを特徴とする、前記のコピー防止印刷物が得られる。
【発明の効果】
【００１３】  本発明のコピー防止印刷を電子複写機などでコピーすると、装置が再現可能な解像度の関係から、背景部の微細なドットなどが、明確に再現できず、いわゆる潰れた状態となって印刷されてしまうため、オリジナルの印刷物では、視認が困難な万線で構成された潜像部が相対的に浮かび上がって見える。このような作用により、オリジナルの印刷物とコピー物品との間に外観上の差違が生じるため、コピーの防止が可能となる。
【図面の簡単な説明】
【００１４】
【図１】  本発明に係るコピー防止印刷物の構成の一例を示す図。
【図２】  図１に示したコピー防止印刷物を複写したコピー物件の一例を示す図。
【図３】  本発明に係るコピー防止印刷物の一例を示す図。
【図４】  図３に示したコピー防止印刷物を複写したコピー物件の一例を示す図。
【発明を実施するための形態】
【００１５】  次に本発明の実施の形態について説明する。図１は本発明に係る印刷物の一例を示す図である。図１において、１は潜像部、１ａは潜像部を構成する万線、１ｂは同じく潜像部を構成する白地、２ａは引き延ばされた六角形、２ｂは菱形、３はマイクロ文字、４は背景を構成するグレー部、５は背景部を構成する白模様である。
【００１６】  図１における万線１ａは幅が０．０６０〜０．０９０ｍｍなので、一般的に印刷用の適正な解像度と言われている３５０〜４００ｄｐｉで表示できるが、グレー部４は、コンピュータで処理された、万線の幅よりも微細なドットで構成されるため、複写の過程での認識が困難となるため、コピー物件においては、いわゆる潰れた状態となってしまう。
【００１７】  また、本発明に係る印刷物の背景部に用いられる、マイクロ文字や六角形や菱形などは、オリジナルの印刷の潜像部と背景部の視認による区別を困難とするために印刷するものである。図２は、図１に示したコピー防止印刷物を複写したコピー物件の一例の概念を示す図で、複写機の解像度により、万線と同じ線幅で構成される図形が、滲んだ状態に近い形態で表示され、オリジナルの印刷物よりも、『複』という文字の視認が容易となることを示している。
【００１８】  図３は、本発明に係るコピー防止印刷物の一例を示す図で、図４は、図３に示したコピー防止印刷物を複写したコピー物件の一例を示す図である。ここに示したように、本発明のコピー防止印刷物は複写すると、潜像が浮かび上がり、複写により偽造されたものであることが、容易に判別可能である。
こうせいされ
【００１９】  以上に説明したように、本発明によれば、簡略な構成で、複写による偽造を抑制し得るコピー防止印刷物を提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２０】１・・・潜像部      １ａ・・・潜像部を構成する万線
１ｂ・・・潜像部を構成する白地      ２ａ・・・引き延ばされた六角形
２ｂ・・・菱形      ３・・・マイクロ文字
４・・・背景を構成するグレー部      ５・・・背景部を構成する白模様
【図１】
2018144464.tif 000003
【図２】
2018144464.tif 000004
【図３】
2018144464.tif 000005
【図４】
2018144464.tif 000006